(57)【特許請求の範囲】
【請求項１】
筒状部と、この筒状部内へ開口端から長手方向に伸縮摺動自在に嵌合された伸縮筒体と、前記筒状部の軸芯上に配設されて前記伸縮筒体の筒状部内端部側に固定されたナットと、前記ナットに螺合される螺子軸と、前記筒状部に対する前記伸縮筒体の相対軸回転を規制する回り止め手段とを備え、
前記螺子軸が回転すると、前記伸縮筒体が回り止め状態で前記筒状部内を長手方向に伸縮摺動する活線振り分け工具において、
前記回り止め手段は、前記筒状部の内径側に面して前記長手方向に延びるように形成された内向平面と、前記ナットの外壁面にのみ前記長手方向に延びるように形成され前記内向平面と対向する外向平面とからなり、長手方向へ相対摺動自在に、且つ、軸周りの回転を互いに規制する少なくとも１組の平面対で構成されていることを特徴とする活線振り分け工具。
【請求項２】
前記回り止め手段は、前記筒状部の内壁面に肉盛り状に形成された前記内向平面と、前記ナットの外側面に形成された前記外向平面とからなる少なくとも１組の平面対で構成されていることを特徴とする請求項１に記載の活線振り分け工具。
【請求項３】
前記回り止め手段は、前記筒状部の前記開口端側の内径側に面して形成された前記内向平面と、前記伸縮筒体の外側面に形成された前記外向平面とからなる少なくとも１組の平面対で構成されていることを特徴とする請求項１に記載の活線振り分け工具。
【請求項４】
前記筒状部の前記開口端にはキャップが外嵌装着され、
前記キャップの端部壁に形成された円形の開口と、前記伸縮筒体の断面円形の外周面とが嵌合されていることを特徴とする請求項２に記載の活線振り分け工具。
【請求項５】
前記キャップの開口縁内側に、前記伸縮筒体の前記外周面との間をシールするＯリングが設けられていることを特徴とする請求項４に記載の活線振り分け工具。
【発明の詳細な説明】
【技術分野】
【０００１】
本発明は、電線の架設・保守工事等において無停電作業を行う際に好適に利用できる活線振り分け工具に関するものである。
【背景技術】
【０００２】
配電線工事等において開閉器等が設備されていない場合、工事区間外でも工事の巻き添えにより長時間の停電を余儀なくされる。
【０００３】
このような問題を解消するため、従来から無停電工事が行われている。無停電工事では工事区間の両側で電線が切断され、工事区間の外側の電線の切断端部同士がバイパスケーブルで繋がれて活線状態が維持され、工事区間のみ停電状態となる。このような工事に用いる工具として、切断した端部同士を振り分けて離間させる活線振り分け工具が知られている（例えば、特許文献１参照。）。
【０００４】
この活線振り分け工具は、図６に示すように、基本構造として、筒状部ｄを有する本体ａと、その筒状部ｄ内に伸縮摺動自在に嵌合された伸縮筒体ｂにて構成されている。本体ａは、アルミ合金製の本体ケースｃにＦＲＰ製の筒状部ｄを接続固定してあり、本体ケースｃ内には軸芯が互いに直交する傘歯車ｆ、ｇが回転自在に支持された噛み合わせ状態で配設されている。軸芯が筒状部ｄの軸芯と一致する傘歯車ｆには筒状部ｄの軸芯上に配設されたねじ軸ｈの一端が固定されている。他方の傘歯車ｇは本体ケースｃの一側面に形成された開口部を閉鎖するアルミ合金製のカバーｉを貫通する回転操作軸ｊの一端に固定され、この回転操作軸ｊの外部に突出した他端部には、図示しない遠隔操作具を係合させて回転操作するための係合環ｋが取付けられている。
【０００５】
筒状部ｄの先端にはジュラコン製のキャップｌが嵌合固定され、伸縮筒体ｂはこのキャップｌを貫通して摺動自在に支持されている。伸縮筒体ｂはＦＲＰ製で、その一端にねじ軸ｈに螺合するナット部材ｍが固定されている。そして、ねじ軸ｈの回転によって伸縮筒体ｂが伸縮摺動するよう配置されている。伸縮筒体ｂの外周面には軸芯方向に沿ってＡＢＳ樹脂製のキーｎが装着され、このキーｎがキャップｌに係合する構造によって伸縮筒体ｂの回り止めが構成されている。また、伸縮筒体ｂの先端にはキャップｏが嵌合固定されている。本体ケースｃとキャップｏには、それぞれ、配電線を掴持するチャックと連結するためのフックｐ、ｑが取付けられている。
【０００６】
フックｐ、ｑに連結されるチャックは、配電線の切断したい箇所の両側を掴持するものであり、本体ケースｃ、キャップｏに直接連結されていてもよい。このように配電線を掴持した状態で、係合環ｋに係合させた遠隔操作具によって傘歯車ｇを回転駆動し、伸縮筒体ｂを筒状部ｄ内に引き込む収縮操作を行うと、工事区間両側の活線状態の配電線を両掴持部間側に引き寄せることができる。これにより、外側電線の張力を保持したまま、両掴持部の活線状態の配電線に弛みが生じた状態で安定させることができる。この結果、活線状態の配電線を両掴持部間で切断してもその両側の配電線の張力を維持することができる。活線状態の配電線の切断は絶縁遠隔切断工具を用いて安全に行われる。
【先行技術文献】
【特許文献】
【０００７】
【特許文献１】特開平８−３３１７２３号公報
【発明の概要】
【発明が解決しようとする課題】
【０００８】
しかし、キーｎを使用する場合、回り止めに対して十分な強度を確保するために、キャップｌに対して、螺子ｒにより４カ所で強固に固定することが必須となるので、部品点数、組立工数が増大し、コスト高になるという課題がある。また、外周にキーｎを設けた伸縮筒体ｂと、そのキーｎに対する噛み合い凹部が端部壁に形成されているキャップｌとの嵌め合い形状が複雑になるので、雨水などの侵入を防止するシール処理が困難で高いシール性を確保しにくいという課題もある。
【課題を解決するための手段】
【０００９】
上記課題を解決するため、本発明の活線振り分け工具は、筒状部と、この筒状部内へ開口端から長手方向に伸縮摺動自在に嵌合された伸縮筒体と、筒状部の軸芯上に配設されて伸縮筒体の筒状部内端部側に固定されたナットと、ナットに螺合される螺子軸と、筒状部に対する伸縮筒体の相対軸回転を規制する回り止め手段とを備え、螺子軸が回転すると、伸縮筒体が回り止め状態で筒状部内を長手方向に伸縮摺動する活線振り分け工具において、回り止め手段は、筒状部の内径側に面して長手方向に延びるように形成された内向平面と、ナットの外壁面にのみ長手方向に延びるように形成され内向平面と対向する外向平面とからなり、長手方向へ相対摺動自在に、且つ、軸周りの回転を互いに規制する少なくとも１組の平面対で構成されていることを特徴としている。
【００１０】
このような構成により、回り止め手段として１組の平面対を構成する、筒状部の内壁面に形成された内向平面と、ナットの外壁面にのみ形成された外向平面とは、長手方向へは相対摺動自在であるが、軸周り方向には相対回転が規制される。これにより、両掴持間に電線を引き寄せる際、及び、引き寄せ後に切断した掴持電線を保持する際に、筒状部側と伸縮筒体側との間にねじれが生じることを防止できる。
【００１１】
上記において、さらに、回り止め手段は、筒状部の内壁面に肉盛り状に形成された内向平面と、ナットの外側面に形成された外向平面とからなる少なくとも１組の平面対で構成されていることを特徴としている。
【００１２】
このような構成により、ナットと内筒部との間で回り止めを防止することができる。
【００１３】
上記において、さらに、回り止め手段は、筒状部の開口端側の内径側に面して形成された内向平面と、伸縮筒体の外側面に形成された外向平面とからなる少なくとも１組の平面対で構成されていることを特徴としている。
【００１４】
このような構成により、筒状部の開口端と伸縮筒体との間で回り止めを防止することができる。
【００１５】
上記において、さらに、筒状部の開口端にはキャップが外嵌装着され、キャップの端部壁に形成された円形の開口と、伸縮筒体の断面円形の外周面とが嵌合されていることを特徴としている。
【００１６】
このような構成により、キャップと伸縮筒体とが、回り止め構造から独立し、回り止め負荷から解放されるので、キャップの端部壁の開口と伸縮筒体の外周面とを、周方向に均一で単純な形状に加工することができ、シールもしやすくなる。
【００１７】
上記において、さらに、キャップの開口縁内側に、伸縮筒体の外周面との間をシールするＯリングが設けられていることを特徴としている。
【００１８】
このような構成により、キャップと伸縮筒体との間の周方向に均一な嵌合形態を利用し
て、固定側となるキャップの開口縁に単純な形態のＯリングを装着するだけで、伸縮筒体外周との間を簡単にシールすることができる。
【発明の効果】
【００１９】
本発明の活線振り分け工具によれば、両掴持間に電線を引き寄せる際に、筒状部側と伸縮筒体側との間にねじれが生じることを防止できるので、螺子軸の回転に対するナットの供回りを防止し、回転力を無駄なく伸縮運動に変換することが可能となる。また、引き寄せ後に切断した掴持電線を保持する際には、切断された電線の端部同士が近接することを防ぎ、離間状態を良好に保持することが可能となる。
【００２０】
また、特別な回り止め部品を用いることなく、ナットと内筒部とを加工することにより回り止めを防止することができるので、部品点数、組立工数ともに少なくなり、コストが低減する。
【００２１】
さらに、特別な回り止め部品を用いることなく、筒状部の開口端と伸縮筒体とを加工することにより回り止めを防止することができるので、部品点数、組立工数ともに少なくなり、コストが低減する。
【００２２】
また、キャップと伸縮筒体とを単純な形状で加工することができるので、部品の製作、組立ともに簡略化が可能で、製品コストを低減することができる。
【００２３】
また、Ｏリングを容易に装着でき、伸縮筒体外周とキャップ開口縁との間を良好にシールできるので、雨天時の作用においても安全に作業を行うことができる。
【図面の簡単な説明】
【００２４】
【図１】本発明の第１の実施の形態に係る活線振り分け工具の要部を模式的に示す斜視図である。
【図２】同工具のナットの斜視図、端面図、正面図、縦断面図、伸縮筒体の縦断面図、ナットおよび伸縮筒体の嵌め合わせ状態端面図である。
【図３】図２のナットと伸縮筒体との他の形態とした場合の、ナットの斜視図、端面図、正面図、縦断面図、伸縮筒体の縦断面図、ナットおよび伸縮筒体の嵌め合わせ状態端面図である。
【図４】本発明の第１の実施の形態に係る活線振り分け工具の１つの実例を示す一部の断面図である。
【図５】本発明の第２の実施の形態に係る活線振り分け工具の要部を模式的に示す斜視図である。
【図６】従来の活線振り分け工具を示す図である。
【発明を実施するための形態】
【００２５】
（第１の実施の形態）
以下、本発明の第１の実施の形態に係る活線振り分け工具につき、図１〜図４を参照して説明する。以下の説明は本発明の具体例であって、特許請求の範囲の記載を減縮するものではない。
【００２６】
図１に示す本実施の形態の活線振り分け工具１００は、絶縁性の筒状部１と、この筒状部１内にその先端（開口端）から長手方向に伸縮摺動自在に嵌合された絶縁性の伸縮筒体２と、筒状部１の軸芯上に配設されて伸縮筒体２の筒状部１内に位置する後側の端部に固定されたナット３に螺合する螺子軸４と、ナット３を筒状部１に対して回り止めする回り止め手段である平面対５とを備えている。
【００２７】
螺子軸４が外部からの回転操作を受けると、伸縮筒体２がナット３と共に筒状部１内で伸縮摺動するように構成されている。特に、平面対５は、図２（ｆ）、図３（ｆ）に例示するように、ナット３の外周の円筒側面を幅Ｄだけ削り取った平面部５１（外向平面）と、これに対向する位置に筒状部１の内壁面から内径側に幅Ｄだけ肉盛りされた平面部５２（内向平面）とから構成されている。
【００２８】
この平面対５は、周方向の少なくとも図１、図２に示す例のような１か所、あるいはそれ以上、具体的には図３に示す６か所の構成例のように、適数か所に設けられており、伸縮筒体２および筒状部１を周方向に一体化する機能を有する。
【００２９】
これにより、ナット３に一体の伸縮筒体２は、外部から回転操作を受ける螺子軸４とナット３との螺合関係により筒状部１内で伸縮摺動し、また、筒状部１とナット３との間の平面対５による回り止め関係により一体化が図られ、軸回転が規制される。すなわち、螺子軸４の回転に対してナット３及び伸縮筒体２が供回りするのを防止できるので、回転入力が無駄なく伸縮摺動方向の力に変換され、正確な伸縮機能が保証される。
【００３０】
このように、特別な回り止め部品を用いることなく、伸縮摺動機能を保証でき、部品点数、組立工数ともに低減するので、コストを抑えることが可能となる。
【００３１】
なお、ナット３と筒状部１との間の平面対５（平面部５１、５２）による回り止め手段は、図１の筒状部１と伸縮筒体２との間に形成されるギャップＧを利用して、伸縮筒体２とナット３との嵌め合い結合強度や伸縮筒体２の外形などに影響しない範囲で形成することができる。
【００３２】
また、１組の平面対５による回り止め強度は、平面部５１、５２の面幅Ｂの大きさに比例するので、ギャップＧに対して許容される範囲内で面幅Ｂを拡張すると、さらに大きな回り止め負荷に対応することが可能である。もっとも、図３に示すように平面部５１、５２を設ける箇所を増設して回り止め強度を高めることもできる。
【００３３】
一方、ナット３と伸縮筒体２との間の結合強度について見ると、図１に示す例では、ナット３の伸縮筒体２に対する十分な結合強度を確保するため、ナット３の伸縮筒体２との嵌め合い部３ａに４つの取り付け穴１３が設けられている。また、図４に示した詳細例では、ナット３が伸縮筒体２にピン２３や螺子にて連結固定されている。そしてこのナット３に連結固定される嵌め合い部３ａの一端には、それよりも小径な螺合部３ｂが設けられ、その螺合部３ｂの内周の螺子部３ｃが螺子軸４に螺合されている。
【００３４】
図３に示す例では平面部５１、５２からなる平面対５を６か所に設けた高強度タイプの回り止めとしたことに対応して、取り付け穴１３は６か所設けられ、伸縮筒体２との結合強度が図２に示す場合よりも高められている。
【００３５】
次に、筒状部１の開口付近の構造について見ると、筒状部１の開口端にはキャップ１１が外嵌され、螺子１２を用いて装着されている。このキャップ１１の端部壁１１ａの開口１１ｂは、伸縮筒体２の円形の外周面２ａと嵌り合うように、円形に形成されている。このように、キャップ１１と伸縮筒体２とが、回り止め構造から独立することにより回り止め負荷から解放されるので、開口１１ｂと外周面２ａとを周方向に均一で加工しやすい単純な円形状とすることができ、良好なシール状態を形成することができる。
【００３６】
このように、筒状部１の開口付近を円形状に形成できることにより、従来のようなキーを受け入れる溝が形成されないので強度を確保でき、シール性を向上させることに加えて、加工が容易になるので、部品の製作、組立ともに簡略化でき製品コストを大幅に低減す
ることができる。従って、例えば、図４に示すキャップ１１の螺子１２も、特許文献１に開示の構成のように、回り止め作用も考慮して何箇所も設ける必要はなく、１箇所でも十分である。
【００３７】
このような開口１１ｂと外周面２ａとの嵌め合い構造に対してシール部材を設けるには、図４の詳細例に示すように、キャップ１１の開口１１ｂの縁に伸縮筒体２の外周面２ａとの間をシールするＯリング１４を設けるのが好適である。キャップ１１と伸縮筒体２との周方向に均等となる嵌り合い形態を利用して、固定側のキャップ１１の開口１１ｂ縁に単純な形態のＯリング１４を装着するだけで、キャップ１１と伸縮筒体２の外周面２ａとの間を簡単にシールし、雨水の侵入を防止でき、絶縁不良による危険を回避できる。
【００３８】
図４の詳細例についてさらに詳述すると、筒状部１および伸縮筒体２は、いずれもＦＲＰ製で、芯材に対して糸状の補強材を巻き付けながら樹脂材を塗布することを繰り返し、所定形状、所定厚さに形成される。このため、内壁に肉盛り状に平面が形成される筒状部１については、外側面に平面が形成された芯材が用いられる。そして、糸状の補強材を巻き付けて樹脂材の塗布を重ねることにより所定厚さに形成された後、筒状部１の外壁に表れた平面部分は切削加工により削り取られ、円筒状に仕上げられる。
【００３９】
また、筒状部１の先端に装着したキャップ１１はジュラコン製で、筒状部１の後端にはアルミニウム製の本体ケース２１が装着されて螺子２２により固定されている。この本体ケース２１内には、螺子軸４の後端にそれと同軸線上に配置されて連結された傘歯車２４と、これに軸線が直交して噛み合う傘歯車２５とが内蔵されている。そして、傘歯車２５から本体ケース２１外に突出した入力軸２６には、図示しない遠隔操作工具を係合して外部からの回転操作を受ける係合部２７が連結、固定されている。これにより、入力軸２６に外部からの回転操作が及ぶと、傘歯車２４、２５を介し螺子軸４に伝達され、伸縮筒体２を筒状部１に対して伸縮摺動させることができる。
【００４０】
この伸縮摺動における収縮摺動にて活線を適当な間隔位置まで引き寄せるために、伸縮筒体２の先端と、筒状部１の後端の本体ケース２１の後端とに、図４に示すような活線を掴持するチャック２８が連結されるか、又はチャック２８との連結部が設けられている。これによって、既述の活線振り分け作業に供することができる。
【００４１】
（第２の実施の形態）
次に、本発明の第２の実施の形態に係る活線振り分け工具について図を用いて説明する。
【００４２】
図５は、本実施の形態における活線振り分け工具２００を示した斜視図である。なお、ここでは、第１の実施の形態において図１を用いて説明した活線振り分け工具１００と同一の構成については同一の符号を付して説明を行う。
【００４３】
図５に示すように、本実施の形態における活線振り分け工具２００では、筒状部２０１の内側にナット２０３と伸縮体２０２の先端の一部とが嵌合されている。このナット２０３と伸縮体２０２とは一体に固定されており、螺子軸４に螺合するナット２０３と一体となって伸縮体２０２が軸方向に伸縮運動する構造となっている。
【００４４】
ここで、本実施の形態における伸縮体２０２は、第１の実施の形態における伸縮筒体２とは異なり、六角柱状に形成されている。また、これに合わせて、筒状部２０１の開口端側に外嵌されたキャップ２１１の開口２１１ｂは六角形に形成されている。
【００４５】
これにより、螺子軸４から回転力が伝達された際、ナット２０３及び伸縮体２０２は、
キャップ２１１の六角形の開口２１１ｂを形成する６つの面と、伸縮体２０２の側面を形成する６つの面とからなる回り止め手段により軸周り方向の回転が規制される。
【００４６】
このため、図１の筒状部１のように内壁側に平面部５２を肉盛り形成する必要がなく、ナット３のように外周面に平面部５１を形成する必要もない。
【００４７】
また、上記第１の実施の形態の構成と同様に、伸縮体２０２にはＦＲＰ製の部材が用いられる。このため、筒状の芯材に対して糸状の補強材を巻き付けながら樹脂材を塗布することを繰り返し、所定形状、所定厚さに形成された後、筒状の側面に６つの平面を切削形成するだけで伸縮体２０２を容易に加工することができる。
【００４８】
つまり、筒状部２０１のうちキャップ２１１を除く部分や、ナット２０３には既存のものを用いることができるので、製造コストを抑えることが可能である。
【００４９】
なお、本実施の形態では、伸縮体２０２の断面形状が六角形に形成された構成を例として示したが、伸縮体２０２の側壁に平面が少なくとも１面形成されていれば良く、また、六角形以外の多角形状が形成されていても同様の効果を得ることができる。この場合、キャップ２１１には、この伸縮体２０２の断面形状に合わせて開口を形成すれば良い。
【００５０】
また、本実施の形態では、伸縮体２０２の平面部２５１との間で平面対２０５を構成する平面部２５２がキャップ２１１の開口２１１ｂに形成された例を示したが、筒状部２０１の開口端側の内径側であれば、内向平面としての平面部２５２がキャップ２１１以外の筒状部２０１の一部に形成されていても構わない。
【産業上の利用可能性】
【００５１】
本発明の活線振り分け工具は、活線状態にある配電線を工事区間の両側で切断して停電状態にして工事できるようにしながら、工事区間の両側の非工事区間の切断端間はジャンパー線で接続して活線状態に保ち停電を回避する活線振り分け作業に利用できる。
【符号の説明】
【００５２】
１００、２００  活線振り分け工具
１、２０１  筒状部
２  伸縮筒体
２０２  伸縮体
３、２０３  ナット
４  螺子軸
５、２０５  平面対（回り止め手段）
５１、２５１  平面部（外向平面）
５２、２５２  平面部（内向平面）
１１、２１１  キャップ
１１ａ  端部壁
１１ｂ、２１１ｂ  開口
１４  Ｏリング
２４、２５  傘歯車
２６  入力軸
２７  係合部
２８  チャック
【図１】
0005914078.tif 000002
【図２】
0005914078.tif 000003
【図３】
0005914078.tif 000004
【図４】
0005914078.tif 000005
【図５】
0005914078.tif 000006
【図６】
0005914078.tif 000007